(57)【特許請求の範囲】
【請求項１】
紙幣を一時貯留させる一時貯留部と、該一時貯留部の下側に設けられ、該一時貯留部に一時貯留された紙幣を受け入れて収納する一方、収納した紙幣を最下のものから繰り出し可能な収納繰出部とを有する一時貯留・収納繰出部を備えた紙幣入出金機において、
複数の前記一時貯留・収納繰出部を上下に重ねて配置していることを特徴とする紙幣入出金機。
【請求項２】
上下に重ねて配置された前記複数の一時貯留・収納繰出部のそれぞれの上下方向長さは、これら一時貯留・収納繰出部以外の一時貯留・収納繰出部の上下方向長さよりも小さく設定されていることを特徴とする請求項１記載の紙幣入出金機。
【請求項３】
上下に重ねて配置された前記複数の一時貯留・収納繰出部の最上部の高さ位置は、これら一時貯留・収納繰出部以外の一時貯留・収納繰出部の最上部の高さ位置に対し同等以下に設定されていることを特徴とする請求項２記載の紙幣入出金機。
【請求項４】
上下に重ねて配置された前記複数の一時貯留・収納繰出部は、これら一時貯留・収納繰出部以外のすべての一時貯留・収納繰出部とともに機体の前後方向に配列されていることを特徴とする請求項１乃至３のいずれか一項記載の紙幣入出金機。
【請求項５】
上下に重ねて配置された前記複数の一時貯留・収納繰出部は、これら一時貯留・収納繰出部以外のすべての一時貯留・収納繰出部よりも機体の後部側に配置されていることを特徴とする請求項４記載の紙幣入出金機。
【請求項６】
上下に重ねて配置された前記複数の一時貯留・収納繰出部のうちの一つは二千券用であり、他の一つは五千券用であることを特徴とする請求項１乃至５のいずれか一項記載の紙幣入出金機。
【発明の詳細な説明】
【０００１】
【発明の属する技術分野】
本発明は、入金された紙幣を収納する一方、収納した紙幣を出金用として繰り出す還流式の紙幣入出金機に関する。
【０００２】
【従来の技術】
従来、銀行等の金融機関では、入金する紙幣を一枚ずつ取り込むとともに、その取り込んだ紙幣の金種等を識別し振り分けて、金種別に設けられる一時貯留・収納繰出部の上部の一時貯留部にその入金が確定するまで一時貯留させるとともに、入金の確定後、その紙幣を一時貯留・収納繰出部の下部の収納繰出部に収納する一方、収納繰出部に収納した紙幣を、出金処理において出金用の紙幣として使用する還流式の紙幣入出金機が用いられている。このような紙幣入出金機としては、既に特許第２７５６０５８号公報に開示されたもの等がある。
【０００３】
この種の紙幣入出金機においては、機体の幅方向の大きさを最小限に抑えるため、各金種別の一時貯留・収納繰出部が、機体の前後方向に配列されるようになっている。
【０００４】
【発明が解決しようとする課題】
ところで、上記のように、各金種別の一時貯留・収納繰出部が、機体の前後方向に配列される構成の紙幣入出金機において、例えば新金種の紙幣の発行が行われた場合に、この金種の紙幣を取り扱うようにするためには、この金種の分の一時貯留・収納繰出部を追加し、これをやはり、他の金種の一時貯留・収納繰出部とともに機体前後方向に配列させることが必要になる。
【０００５】
しかしながら、上記のように、一時貯留・収納繰出部が増えると、機体の前後方向の長さが長くなってしまうという問題が生じることになる。このように機体の前後方向の長さが長くなってしまうと、当然のことながら、広い設置スペースが必要になってしまうため、スペース効率が低下してしまうばかりか、設置できなくなってしまう可能性もあった。また、上記のように新金種等の取り扱い金種増に対応するのみならず、同じ数の金種を取り扱う場合でも、機体の前後方向の長さを短くすることができれば、狭い設置スペースでの設置が可能となり、スペース効率の向上を図ることができる。
【０００６】
したがって、本発明は、機体の前後方向の長さを短くすることができ、設置のためのスペース効率を向上させることができる紙幣入出金機の提供を目的とする。
【０００７】
【課題を解決するための手段】
上記目的を達成するために、本発明の請求項１記載の紙幣入出金機は、紙幣を一時貯留させる一時貯留部と、該一時貯留部の下側に設けられ、該一時貯留部に一時貯留された紙幣を受け入れて収納する一方、収納した紙幣を最下のものから繰り出し可能な収納繰出部とを有する一時貯留・収納繰出部を備えたものであって、複数の前記一時貯留・収納繰出部を上下に重ねて配置していることを特徴としている。
【０００８】
このように、複数の一時貯留・収納繰出部を上下に重ねて配置しているため、新金種等の取り扱い金種増に対応する場合においても、機体の前後方向の長さを長くすることがなく、また、同じ数の金種を取り扱う場合でも、機体の前後方向の長さを短くすることができる。
【０００９】
本発明の請求項２記載の紙幣入出金機は、請求項１記載のものに関して、上下に重ねて配置された前記複数の一時貯留・収納繰出部のそれぞれの上下方向長さは、これら一時貯留・収納繰出部以外の一時貯留・収納繰出部の上下方向長さよりも小さく設定されていることを特徴としている。
【００１０】
このように、上下に重ねて配置された複数の一時貯留・収納繰出部のそれぞれの上下方向長さは、これら一時貯留・収納繰出部以外の一時貯留・収納繰出部の上下方向長さよりも小さく設定されているため、上下に重ねて配置された複数の一時貯留・収納繰出部の全体の上下方向長さを短く抑えることができる。
【００１１】
本発明の請求項３記載の紙幣入出金機は、請求項２記載のものに関して、上下に重ねて配置された前記複数の一時貯留・収納繰出部の最上部の高さ位置は、これら一時貯留・収納繰出部以外の一時貯留・収納繰出部の最上部の高さ位置に対し同等以下に設定されていることを特徴としている。
【００１２】
このように、上下に重ねて配置された複数の一時貯留・収納繰出部の最上部の高さ位置は、これら一時貯留・収納繰出部以外の一時貯留・収納繰出部の最上部の高さ位置に対し同等以下に設定されているため、上下に重ねて配置された複数の一時貯留・収納繰出部によって機体全体の高さが高くなってしまうことがなくなる。
【００１３】
本発明の請求項４記載の紙幣入出金機は、請求項１乃至３のいずれか一項記載のものに関して、上下に重ねて配置された前記複数の一時貯留・収納繰出部は、これら一時貯留・収納繰出部以外のすべての一時貯留・収納繰出部とともに機体の前後方向に配列されていることを特徴としている。
【００１４】
このように、上下に重ねて配置された複数の一時貯留・収納繰出部は、これら一時貯留・収納繰出部以外のすべての一時貯留・収納繰出部とともに機体の前後方向に配列されているため、機体が横方向に広がってしまうこともない。
【００１５】
本発明の請求項５記載の紙幣入出金機は、請求項４記載のものに関して、上下に重ねて配置された前記複数の一時貯留・収納繰出部は、これら一時貯留・収納繰出部以外のすべての一時貯留・収納繰出部よりも機体の後部側に配置されていることを特徴としている。
【００１６】
このように、上下に重ねて配置された複数の一時貯留・収納繰出部は、これら一時貯留・収納繰出部以外のすべての一時貯留・収納繰出部よりも機体の後部側に配置されているため、紙幣を搬送する搬送経路等が煩雑になるのを防止することができる。
【００１７】
本発明の請求項６記載の紙幣入出金機は、請求項１乃至５のいずれか一項記載のものに関して、上下に重ねて配置された前記複数の一時貯留・収納繰出部のうちの一つは二千券用であり、他の一つは五千券用であることを特徴としている。
【００１８】
このように、上下に重ねて配置されることにより収納量が他に比して少なくなる複数の一時貯留・収納繰出部に関し、そのうちの一つは流通量の少ない二千券用とし、他の一つも流通量の少ない五千券用とすることで、流通量の多い千券用の一時貯留・収納繰出部および万券用の一時貯留・収納繰出部との収納量のバランスをとることができる。
【００１９】
【発明の実施の形態】
本発明の紙幣入出金機の一実施形態である貨幣入出金機を図面を参照して以下に説明する。なお、図２〜図１５における左側が、操作を行うオペレータ側すなわち前方（正面側）を示す。また、以下における「前」はオペレータ側、「後」はオペレータに対し反対側であり、左右は、オペレータ側から見たときの左右である。
【００２０】
この貨幣入出金機は、銀行等の金融機関のテラーカウンタの下側に配置され、左右の二人のテラー等のオペレータに共用で用いられるもので、図１に示すように、紙幣の入金、収納、回収および出金等、紙幣に関する各処理を行う紙幣入出金部１１と、硬貨の入金、収納、回収および出金等、硬貨に関する各処理を行う硬貨入出金部１２とが一体的に設けられたものである。
【００２１】
硬貨入出金部１２は、機体１０における上部に主として配置されており、紙幣入出金部１１と硬貨入出金部１２の一部とが、機体１０における下部に硬貨入出金部１２よりも前方に突出するように配置されている。なお、硬貨入出金部１２および紙幣入出金部１１は、機体１０の正面側に引き出し可能となっており、これらを機体１０に対しロックおよびロック解除する引出キー１３が紙幣入出金部１１の正面側に設けられている。
【００２２】
貨幣入出金機には、その機体１０の上面の正面（前面）側の左右両側に、上方に向いて、左右のオペレータにより各処理の操作が入力される操作部１４と処理状態等を表示する表示ランプ部１５とが設けられており、また、右側にのみ、処理のガイドメニュー、処理状態および処理結果等を表示する表示パネル１６が設けられている。なお、これら操作部１４、表示ランプ部１５および表示パネル１６は、硬貨入出金部１２および紙幣入出金部１１に対し共用とされている。
【００２３】
また、機体１０の上面の正面より若干後側の左右方向における中央には、硬貨入出金部１２に入金硬貨を投入するための硬貨入金口１７が設けられており、硬貨入出金部１２の下部すなわち紙幣入出金部１１側には、正面から後方に凹んで受皿挿入口１８が設けられている。この受皿挿入口１８には図示せぬ受皿が挿入されることになり、硬貨入出金部１２は、このように受皿挿入口１８に挿入された状態の受皿に硬貨の出金を行う。受皿挿入口１８と隣り合う位置にはリジェクト硬貨を返却するための硬貨リジェクト口１９が設けられている。
【００２４】
紙幣入出金部１１の硬貨入出金部１２よりも正面側に突出する部分の上面には、その最も正面側の左右方向の中央に、紙幣入出金部１１の内部から紙幣が送り出される紙幣出金口２０が設けられるとともに、この紙幣出金口２０の後に、入金する紙幣がオペレータによりセットされる紙幣入金口２１が設けられている。なお、紙幣出金口２０には、これを開閉するシャッタ２２が設けられている。ここで、紙幣入出金部１１のこれら紙幣出金口２０および紙幣入金口２１と隣り合う側方位置には、硬貨入出金部１２の一部である硬貨一括金庫２３が設けられている。この硬貨一括金庫２３は硬貨を収納するもので、機体１０に対し着脱可能とされており、この硬貨一括金庫２３の正面側には、これを機体１０に対しロックおよびロック解除する取出キー２３ａが設けられている。また、紙幣入出金部１１の下部正面には電源スイッチ２７が設けられている。
【００２５】
紙幣入出金部１１は、紙幣入金口２１にその長手方向を左右方向とした状態でセットされる紙幣を入金させて収納する入金処理を行うとともに、収納した紙幣を必要に応じて紙幣出金口２０ヘ出金させる出金処理等の紙幣における各処理を行う。
【００２６】
以下に、本発明の要部である紙幣入出金部について説明する。
図２に示すように、紙幣入出金部１１は、主として紙幣入金口２１から取り込まれた紙幣、あるいは紙幣出金口２０に向け出金させられる紙幣を搬送する上層ユニット２４と、入金され上層ユニット２４で搬送された紙幣を入金確定前に金種別に一時貯留させる中層ユニット２５と、中層ユニット２５に一時貯留させた紙幣を入金確定後に収納する一方、収納した紙幣を出金用として繰り出す下層ユニット２６とを有しており、これら上層ユニット２４、中層ユニット２５および下層ユニット２６は、それぞれ個別に貨幣入出金機の機体１０から正面側に引き出し可能とされている。
【００２７】
〔上層ユニット〕
上層ユニット２４は、入金処理時において入金紙幣がセットされ該セットされた入金紙幣を一枚ずつ機内に取り込む上記した紙幣入金口２１と、入金処理時等における識別不能なリジェクト紙幣が繰り出されるとともに、出金処理時において機内から出金紙幣が繰り出される上記した紙幣出金口２０と、この紙幣出金口２０を開閉する上記したシャッタ２２と、入金紙幣を必要な場所に搬送するとともに出金紙幣を必要に応じた場所に搬送する搬送路２８と、この搬送路２８の搬送途中に設けられ、入金処理時等において紙幣入金口２１から繰り出され搬送路２８で搬送される紙幣の真偽、金種、正損、重送および斜行の識別を行う識別部２９とを有している。なお、搬送路２８の途中には、識別部２９の識別結果から紙幣の表裏を判断し、紙幣の表裏を取り揃えるために必要により紙幣の表裏を反転させる表裏反転部３０が設けられている。
【００２８】
〔中層ユニット〕
中層ユニット２５には、上層ユニット２４の搬送路２８にそれぞれつながりこの搬送路２８から振り分けられた入金紙幣を取り入れる各紙幣取入部３２が設けられており、また、これら紙幣取入部３２のそれぞれの前側に、入金紙幣を、その取り引きが確定するまで一時貯留させる複数具体的には三つの同形状の一時貯留部３３ａ，３３ｂ，３３ｃが、左右方向および高さ方向の位置を互いに合わせた状態で前後方向に位置をずらして直線状に配列されている。ここで、これら三つの一時貯留部３３ａ〜３３ｃは、紙幣取入部３２側からは紙幣の送り込みのみが可能となっており、紙幣取入部３２側への紙幣の繰り出しは不可となっている。なお、これら一時貯留部３３ａ〜３３ｃに一時貯留された紙幣を入金確定せずに返却する場合、中層ユニット２５を機体１０から引き出すことによって、これら一時貯留部３３ａ〜３３ｃをすべて機体１０の外側に露出させることになり、その結果、内部に一時貯留させた紙幣のオペレータによる取り出しを可能とする。
【００２９】
一時貯留部３３ａ〜３３ｃは、それぞれ、対応する紙幣取入部３２から紙幣を内部に取り込む略角筒状の筐体３５と、筐体３５の下部に設けられ、筐体３５内に取り込んだ一時貯留紙幣を表裏方向を上下方向にして、上下方向に順次集積させながら載置させる開閉可能な一対のシャッタ３６，３６とを有しており、一対のシャッタ３６，３６は高さが一定で水平移動することにより筐体３５の下部を開閉する。なお、筐体３５の内側のシャッタ３６，３６よりも上側の部分が紙幣を一時貯留させる貯留空間３７となっている。
【００３０】
〔下層ユニット〕
下層ユニット２６には、各一時貯留部３３ａ〜３３ｃの下側に、これらのうち対応するものに一時貯留された紙幣を入金確定後に受け入れて内部に収納する一方、内部に収納した紙幣を最下のものから一枚ずつ紙幣繰出部３９によって繰り出し可能な複数具体的には三つの同形状の収納繰出部３８ａ，３８ｂ，３８ｃが、左右方向および高さ方向の位置を互いに合わせた状態で前後方向に位置をずらして配列されている。
【００３１】
ここで、中層ユニット２５および下層ユニット２６がともに機体１０に適正に装填された状態で、各一時貯留部３３ａ〜３３ｃとそれぞれの真下の各収納繰出部３８ａ〜３８ｃとで一時貯留・収納繰出部４０ａ〜４０ｃを構成することになり、同形状のこのような三つの一時貯留・収納繰出部４０ａ〜４０ｃが、左右方向および高さ方向の位置を互いに合わせた状態で前後方向に位置をずらして配列されることになる。
【００３２】
すなわち、最も前側の一時貯留部３３ａと最も前側の収納繰出部３８ａとが最も前側の一時貯留・収納繰出部４０ａを構成し、前から二番目の一時貯留部３３ｂと前から二番目の収納繰出部３８ｂとが前から二番目の一時貯留・収納繰出部４０ｂを構成し、前から三番目の一時貯留部３３ｃと前から三番目の収納繰出部３８ｃとが前から三番目の一時貯留・収納繰出部４０ｃを構成している。なお、これら三つの一時貯留・収納繰出部４０ａ〜４０ｃのうち、後側の二つは、金種別のものであり、具体的には前から二番目の一時貯留・収納繰出部４０ｂは流通量の多い万券（一万円札）用、前から三番目の一時貯留・収納繰出部４０ｃは流通量の多い千券（一千円札）用となっている。また、最も前側の一時貯留・収納繰出部４０ａは一金種のみに対応するものではなく、各処理に応じて適宜の紙幣を収納させたり補充用の紙幣を収納させる運用カセットとして使用される。このため、収納繰出部３８ａ〜３８ｃのうち、最も前側の収納繰出部３８ａは、機体１０から引き出された下層ユニット２６に対し着脱可能とされており、残りの収納繰出部３８ｂ，３８ｃは、下層ユニット２６に対し固定されている。
【００３３】
下層ユニット２６には、前から三番目の一時貯留・収納繰出部４０ｃの後側において、中層ユニット２５を介して搬送路２８につながるとともに、すべての一時貯留・収納繰出部４０ａ〜４０ｃの下側を通って、最も前側の一時貯留・収納繰出部４０ａの前方で、中層ユニット２５を介して搬送路２８につながり、各収納繰出部３８ａ〜３８ｃから繰り出された出金紙幣等を搬送する搬送路４２が設けられている。搬送路４２の途中に、搬送する紙幣の重送および斜行等を判別する判別部４３が設けられている。
【００３４】
さらに、下層ユニット２６には、出金処理時において搬送路４２で搬送される出金紙幣のうち判別部４３で重送あるいは斜行等と判別された出金紙幣を収納するリジェクト収納部４４が、前方に開閉自在に設けられている。なお、下層ユニット２６の前面には、図１に示すように、リジェクト収納部４４内のリジェクト紙幣を取り外す際に開閉される扉４４ａとこれを開く際に必要なキーと４４ｂが設けられている。
【００３５】
収納繰出部３８ａ〜３８ｃは、それぞれ、一時貯留部３３ａ〜３３ｃのうちの対応する一つから一時貯留紙幣を内部に取り込む略角筒状の筐体４５を有しており、また、筐体４５内に取り込んだ収納紙幣を表裏方向を上下方向にして、上下方向に集積させながら載置させる昇降可能かつ開閉可能な一対の扉式のフラッパ４６，４６とを有している。
【００３６】
フラッパ４６，４６は、筐体４５の前後に互いに平行をなしかつ同高さとなるよう配置されるとともにこの状態でガイド軸４７，４７に沿って一体に昇降する支持軸４８，４８を有しており、これら支持軸４８，４８を中心に揺動する。そして、フラッパ４６，４６は、自身が互いの支持軸４８に対し反対の端部同士を近接させることにより共に筐体４５内で水平配置される閉状態となり、この状態で、一時貯留部３３ａ〜３３ｃの対応する一つから投入された紙幣をその上側に載置させる。また、フラッパ４６，４６は、この閉状態から下方に旋回することで開状態となると、載置させていた紙幣を、筐体４５内のこれらフラッパ４６，４６より下側の出金紙幣収納用の収納空間４９に落とし込んで収納させる。さらに、フラッパ４６，４６は、この開状態から上方に旋回することで閉状態に戻る。なお、収納空間４９の最下部に紙幣を搬送路４２に繰り出すための紙幣繰出部３９が設けられている。
【００３７】
機体１０内における中層ユニット２５および下層ユニット２６の後側には、搬送路２８および搬送路４２で搬送され対応する紙幣取込部５０から送り込まれる紙幣を一時貯留させる一時貯留部５１ｄ，５１ｅが上下に離間して設けられており、各一時貯留部５１ｄ，５１ｅの下側には、一時貯留部５１ｄ，５１ｅの対応するものに一時貯留された紙幣を受け入れて収納する一方、収納した紙幣を最下のものから紙幣繰出部５４により繰り出し可能な収納繰出部５２ｄ，５２ｅがそれぞれ設けられている。
【００３８】
各一時貯留部５１ｄ，５１ｅとそれぞれの真下の各収納繰出部５２ｄ，５２ｅとで一時貯留・収納繰出部５３ｄ，５３ｅを構成することになり、これら複数具体的には二つの一時貯留・収納繰出部５３ｄ，５３ｅが、上下に重ねられた状態で配置されている。すなわち、一時貯留部５１ｄと収納繰出部５２ｄとが上側の一時貯留・収納繰出部５３ｄを構成し、一時貯留部５１ｅと収納繰出部５２ｅとが下側の一時貯留・収納繰出部５３ｅを構成している。
【００３９】
これら一時貯留・収納繰出部５３ｄ，５３ｅは、幅および奥行きが等しいもので、互いに左右方向および前後方向の位置を合わせた状態で、上下に重ねられるように配置されている。結果的に、これら上下に重ね状態で配置された二つの一時貯留・収納繰出部５３ｄ，５３ｅは、これら一時貯留・収納繰出部５３ｄ，５３ｅ以外のすべての上記した一時貯留・収納繰出部４０ａ〜４０ｃよりも機体１０の後部側に配置されている。これら一時貯留・収納繰出部５３ｄ，５３ｅは、保守時には機体１０からの引き出しが可能とされている。
【００４０】
これら一時貯留・収納繰出部５３ｄ，５３ｅは、それぞれ、搬送路２８あるいは搬送路４２の対応する紙幣取入部５０から対応金種の紙幣を内部に取り込む略角筒状の筐体５５を有しており、また、筐体５５内に取り込んだ一時貯留紙幣を表裏方向を上下方向にして、上下方向に順次集積させながら載置させる高さ位置固定で開閉可能な仕切手段としての一対の扉式のフラッパ５６，５６と、筐体５５のフラッパ５６，５６よりも上側に設けられ、フラッパ５６，５６に載置された一時貯留紙幣を上側から下方に向けて押圧しフラッパ５６，５６を開作動させながら下側に落とし込むプッシャ５７と、筐体５５内のフラッパ５６，５６よりも下側において昇降可能に設けられたエレベータ５８とを有している。ここで、筐体５５内のフラッパ５６，５６より下側かつエレベータ５８より上側の部分が出金用の紙幣を収納する収納空間６１とされている。なお、これら一時貯留・収納繰出部５３ｄ，５３ｅは、紙幣取入部５０側からは紙幣の送り込みのみが可能となっており、紙幣取入部５０側への紙幣の繰り出しは不可となっている。また、収納空間６１の最下部に紙幣を搬送路４２に繰り出すための紙幣繰出部５４が設けられており、この紙幣繰出部５４は、エレベータ５８が最下位置に位置した状態で紙幣を繰り出すようになっている。
【００４１】
そして、フラッパ５６，５６によって筐体５５内の上下方向に連続する空間を上下に区画することになり、これによって、一時貯留・収納繰出部５３ｄにおいては、フラッパの５６，５６の上側の空間を紙幣を一時貯留させる一時貯留部５１ｄの貯留空間６０とするとともに、フラッパ５６，５６の下側の空間を紙幣を収納する収納繰出部５２ｄの収納空間６１とし、プッシャ５７によるこのフラッパ５６，５６の開作動を伴う紙幣の落とし込みにより一時貯留部５１ｄの貯留空間６０から収納繰出部５２ｄの収納空間６１への紙幣の受け渡しを行うようになっている。同様に、一時貯留・収納繰出部５３ｅにおいては、フラッパの５６，５６の上側の空間を紙幣を一時貯留させる一時貯留部５１ｅの貯留空間６０とするとともに、フラッパ５６，５６の下側の空間を紙幣を収納する収納繰出部５２ｅの収納空間６１とし、プッシャ５７によるこのフラッパ５６，５６の開作動を伴う紙幣の落とし込みにより一時貯留部５１ｅの貯留空間６０から収納繰出部５２ｅの収納空間６１への紙幣の受け渡しを行うようになっている。
【００４２】
フラッパ５６，５６は、それぞれ、筐体５５の前後に互いに平行をなしかつ同高さとなるよう配置される位置固定の支持軸６３，６３を有しており、これら支持軸６３，６３を中心に揺動する。そして、フラッパ５６，５６は、支持軸６３に対し反対の端部同士を近接させることにより共に筐体５５内で水平配置される閉状態となり、この状態で、上側の貯留空間６０に投入された紙幣をその上側に載置させる。ここで、フラッパ５６，５６は、閉状態になるように図示せぬバネ等で付勢されている。また、フラッパ５６，５６は、この閉状態から付勢力にこうして下方に旋回することで開状態となると、載置させていた紙幣を下側の収納空間６１に落とし込む。さらに、フラッパ５６，５６は、この開状態から上方に旋回することで閉状態に戻る。
【００４３】
ここで、上下に重ね状態で配置された二つの一時貯留・収納繰出部５３ｄ，５３ｅは、両方とも同一の大きさで構成されているが、その収納部を異なる大きさで構成するようにしても良い。
【００４４】
また、これら二つの一時貯留・収納繰出部５３ｄ，５３ｅのそれぞれの上下方向長さは、これら一時貯留・収納繰出部５３ｄ，５３ｅ以外の上記した一時貯留・収納繰出部４０ａ〜４０ｃの上下方向長さよりも小さく設定されており、幅および奥行きは同等に設定されている。その結果、これら一時貯留・収納繰出部５３ｄ，５３ｅの収納繰出部５２ｄ，５２ｅは、それぞれ、これら以外の一時貯留・収納繰出部４０ａ〜４０ｃの収納繰出部３８ａ〜３８ｃのいずれよりも紙幣の収納容量が少なくなっている。
【００４５】
さらに、これら二つの一時貯留・収納繰出部５３ｄ，５３ｅを合わせた全体の上下方向長さは、これら以外の上記した一時貯留・収納繰出部４０ａ〜４０ｃのそれぞれの上下方向長さとほぼ同等とされており、上側の一時貯留・収納繰出部５３ｄの最上部の高さ位置は、一時貯留・収納繰出部４０ａ〜４０ｃの最上部の高さ位置に対し同等以下、具体的には同高さ位置に設定されている。
【００４６】
また、これら二つの一時貯留・収納繰出部５３ｄ，５３ｅは、これら以外のすべての一時貯留・収納繰出部４０ａ〜４０ｃとともに、左右方向の位置を合わせた状態で機体１０の前後方向に配列されている。
【００４７】
さらに、これら二つの一時貯留・収納繰出部５３ｄ，５３ｅは、これら以外のすべての一時貯留・収納繰出部４０ａ〜４０ｃよりも機体１０の後部側に配置されている。
【００４８】
加えて、これら二つの一時貯留・収納繰出部５３ｄ，５３ｅは金種別のものであり、これら二つの一時貯留・収納繰出部５３ｄ，５３ｅのうちの一つである上側の一時貯留・収納繰出部５３ｄは流通量の少ない二千券（二千円札）用とされ、他の一つである下側の一時貯留・収納繰出部５３ｅは流通量の少ない五千券（五千円札）用とされている。
【００４９】
以上に述べた紙幣入出金部１１の各処理について説明する。
【００５０】
「入金処理（入金確定前）」
オペレータにより入金させる紙幣が紙幣入金口２１にセットされ操作部１４に「入金処理」の実行入力がなされると、図示せぬ制御部は、紙幣入金口２１により、紙幣を一枚ずつ分離して繰り出させることになり、繰り出された紙幣を、搬送路２８および紙幣取入部３２の所定部分で構成される図３に太線で示す入金処理ルートで搬送させ、その途中の識別部２９の識別結果に基づいて振り分ける。すなわち、識別不能（偽、重送、斜行等）とされた紙幣は紙幣出金口２０に送り出され、真かつ汚損と識別された紙幣と、一時貯留・収納繰出部４０ｂ，４０ｃに収納しきれない真かつ正の紙幣とが、一時貯留・収納繰出部４０ａの一時貯留部３３ａに紙幣取入部３２から送り込まれ、真かつ正と識別された紙幣は、適宜表裏反転部３０を通過させることで表裏が取り揃えられた後、一時貯留・収納繰出部４０ａ〜４０ｃの一時貯留部３３ａ〜３３ｃの対応する一つに、それぞれの紙幣取入部３２から送り込まれる。このとき、一時貯留部３３ａ〜３３ｃは、それぞれ、シャッタ３６，３６が閉状態とされており、紙幣取入部３２から送り込まれた紙幣をシャッタ３６，３６の上側の貯留空間３７に一時貯留させる。
【００５１】
具体的には、真かつ正と識別された紙幣のうち、万券は万券用の一時貯留・収納繰出部４０ｂの一時貯留部３３ｂに一時貯留され、千券は千券用の一時貯留・収納繰出部４０ｃの一時貯留部３３ｃに一時貯留される。ここで、これら以外の二千券および五千券は、混合状態で一時貯留・収納繰出部４０ａの一時貯留部３３ａに一時貯留される。さらに、一時貯留・収納繰出部４０ａの一時貯留部３３ａには、上記したように、真かつ汚損の各紙幣と、一時貯留・収納繰出部４０ｂ，４０ｃに収納しきれない真かつ正の紙幣も送り込まれる。
【００５２】
そして、紙幣入金口２１からすべての紙幣が一旦繰り出され、紙幣出金口２０および一時貯留・収納繰出部４０ａ〜４０ｃの一時貯留部３３ａ〜３３ｃのいずれかに送り込まれると、制御部は、閉状態にあった紙幣出金口２０のシャッタ２２を開作動させるとともに、識別部２９の識別結果を図示せぬ上位機に表示させる。この上位機の表示からオペレータが入金確定操作を上位機または操作部１４に入力すると、制御部は、後述の「収納処理」を行うことになる。この場合、万券は万券用の一時貯留・収納繰出部４０ｂにおいて一時貯留部３３ｂから収納繰出部３８ｂに収納され、千券は千券用の一時貯留・収納繰出部４０ｃにおいて一時貯留部３３ｃから収納繰出部３８ｃに収納されることになるが、それ以外の二千券および五千券は、一時貯留・収納繰出部５３ｄ，５３ｅが紙幣の返却処理に適していないことから、混合状態で、返却処理に適した一時貯留・収納繰出部４０ａにおいて一時貯留部３３ａから収納繰出部３８ａに一時貯留される。すなわち、二千券および五千券は、「入金処理」から「収納処理」の流れでは、それら用の収納繰出部５２ｄ，５２ｅには収納されず、後述する「内部充填分配補充処理」および「収納処理」によって収納繰出部５２ｄ，５２ｅに収納される。他方、オペレータが入金キャンセル操作を上位機または操作部１４に入力すると、制御部は、後述の「返却処理」を行うことになる。
【００５３】
「出金処理」
オペレータにより上位機または操作部１４に「出金処理」の実行入力がなされると、制御部は、金種別の一時貯留・収納繰出部４０ｂ，４０ｃ，５３ｄ，５３ｅのそれぞれの収納繰出部３８ｂ，３８ｃ，５２ｄ，５２ｅに収納させていた紙幣を紙幣繰出部３９，５４で最下のものから一枚ずつ分離して繰り出させ、搬送路４２，２８の所定部分で構成される図４に太線で示す出金処理ルートに沿って搬送させ、その途中の判別部４３の判別結果に基づいて振り分ける。すなわち、判別部４３で重送または斜行と判定された搬送異常紙幣はリジェクト収納部４４に送り込まれ、判別部４３で正常と判別された紙幣は、紙幣出金口２０に送り出され、さらに、判別部４３で金種的あるいは枚数的に出金紙幣に含まれないと判別された紙幣は、運用カセットとしての一時貯留・収納繰出部４０ａの一時貯留部３３ａに一時貯留させる。そして、出金用に繰り出されたすべての紙幣が、リジェクト収納部４４、紙幣出金口２０および一時貯留部３３ａに送り込まれると、一時貯留部３３ａは、シャッタ３６，３６を開作動させて、閉状態にある収納繰出部３８ａのフラッパ４６，４６上に紙幣を落とし込む。なお、フラッパ４６，４６上に載置された紙幣は、適宜のタイミングでフラッパ４６，４６から下方に落とし込まれる。
【００５４】
「入金口分配補充処理」
金種別の一時貯留・収納繰出部４０ｂ，４０ｃ，５３ｄ，５３ｅの収納繰出部３８ｂ，３８ｃ，５２ｄ，５２ｅに紙幣を紙幣入金口２１から補充する場合、オペレータにより補充紙幣が紙幣入金口２１にセットされ操作部１４に「入金口分配補充処理」の実行入力がなされると、図示せぬ制御部は、紙幣入金口２１により、紙幣を一枚ずつ分離して繰り出させることになり、繰り出された紙幣を、搬送路２８，４２および紙幣取入部３２，５０の所定部分で構成される図５に太線で示す入金口分配補充処理ルートで搬送させ、その途中の識別部２９の識別結果に基づいて振り分ける。
【００５５】
すなわち、識別不能（偽、重送、斜行等）とされた紙幣は紙幣出金口２０に送り出され、真かつ汚損と識別された紙幣は、一時貯留・収納繰出部４０ａの一時貯留部３３ａに紙幣取入部３２から送り込まれる。このとき、一時貯留部３３ａは、シャッタ３６，３６が閉状態とされており、紙幣取入部３２から送り込まれた紙幣をシャッタ３６，３６の上側の貯留空間３７に一時貯留させることになる。そして、それ以外の真かつ正と識別された紙幣は、適宜表裏反転部３０を通過させることで表裏が取り揃えられた後、金種別の一時貯留部３３ｂ，３３ｃ，５１ｄ，５１ｅの対応する一つに、それぞれの紙幣取入部３２，５０から送り込まれる。このとき、一時貯留部３３ｂ，３３ｃは、それぞれ、シャッタ３６，３６が閉状態とされており、紙幣取入部３２から取り入れた紙幣をシャッタ３６，３６の上側の貯留空間３７に一時貯留させることになり、一時貯留部５１ｄ，５１ｅは、それぞれ、フラッパ５６，５６が閉状態とされており、紙幣取入部５０から取り入れた紙幣をフラッパ５６，５６の上側の貯留空間６０に一時貯留させることになる。
【００５６】
具体的には、万券は万券用の一時貯留・収納繰出部４０ｂの一時貯留部３３ｂに一時貯留され、千券は千券用の一時貯留・収納繰出部４０ｃの一時貯留部３３ｃに一時貯留され、二千券は一時貯留・収納繰出部５３ｄの一時貯留部５１ｄに一時貯留され、五千券は一時貯留・収納繰出部５３ｅの一時貯留部５１ｅに一時貯留される。また、一時貯留・収納繰出部４０ａの一時貯留部３３ａには、真かつ汚損の各紙幣が送り込まれる。
【００５７】
そして、紙幣入金口２１からすべての紙幣が一旦繰り出され、紙幣出金口２０および一時貯留部３３ａ〜３３ｃ，５１ｄ，５１ｅのいずれかに送り出されると、制御部は、閉状態にあった紙幣出金口２０のシャッタ２２を開作動させるとともに、補充処理が完了した旨を識別部２９の識別結果とともに図示せぬ上位機に表示させる。この上位機の表示からオペレータが補充完了確認操作を上位機または操作部１４に入力すると、制御部は、後述の「収納処理」を行うことになる。
【００５８】
「内部充填分配補充処理」
「入金処理」により収納繰出部３８ａに収納された紙幣（主として二千券および五千券）を、金種別の一時貯留・収納繰出部４０ｂ，４０ｃ，５３ｄ，５３ｅに紙幣を補充する場合には、操作部１４に「内部充填分配補充処理」の実行入力がなされると、図示せぬ制御部は、収納繰出部３８ａから、最下の紙幣を一枚ずつ分離して繰り出させることになり、繰り出された紙幣を、搬送路２８，４２および紙幣取入部３２の所定部分で構成される図６に太線で示す内部充填分配補充処理ルートで搬送させ、その途中の判別部４３の判別結果および識別部２９の鑑別結果に基づいて振り分ける。
【００５９】
すなわち、判別部４３で判別不能（重送、斜行等）とされた紙幣は、入金処理時に偽券でないことがすでに確認されているため、リジェクト収納部４４に送り込まれ、汚損と識別された紙幣は、一時貯留・収納繰出部４０ａの一時貯留部３３ａに紙幣取入部３２から送り込まれる。このとき、一時貯留部３３ａは、シャッタ３６，３６が閉状態とされており、紙幣取入部３２から送り込まれた紙幣をシャッタ３６，３６の上側の貯留空間３７に一時貯留させることになる。そして、それ以外の紙幣は適宜表裏反転部３０を通過させることで表裏が取り揃えられた後、金種別の一時貯留部３３ｂ，３３ｃ，５１ｄ，５１ｅの対応する一つに、それぞれの紙幣取入部３２，５０から送り込まれる。このとき、一時貯留部３３ｂ，３３ｃは、それぞれ、シャッタ３６，３６が閉状態とされており、紙幣取入部３２から取り入れた紙幣をシャッタ３６，３６の上側の貯留空間３７に一時貯留させることになり、一時貯留部５１ｄ，５１ｅは、それぞれ、フラッパ５６，５６が閉状態とされており、紙幣取入部５０から取り入れた紙幣をフラッパ５６，５６の上側の貯留空間６０に一時貯留させることになる。
【００６０】
具体的には、万券は万券用の一時貯留・収納繰出部４０ｂの一時貯留部３３ｂに一時貯留され、千券は千券用の一時貯留・収納繰出部４０ｃの一時貯留部３３ｃに一時貯留され、二千券は一時貯留・収納繰出部５３ｄの一時貯留部５１ｄに一時貯留され、五千券は一時貯留・収納繰出部５３ｅの一時貯留部５１ｅに一時貯留される。また、一時貯留・収納繰出部４０ａの一時貯留部３３ａには、入金処理によって真かつ汚損の各紙幣が収納されるため、このような紙幣は、再び、一時貯留・収納繰出部４０ａの一時貯留部３３ａに送り込まれる。なお、入金時の二千券および五千券は返却処理に対応するために一旦混合状態で一時貯留・収納繰出部４０ａに収納されることになり、その後、このような「内部充填分配補充処理」で出金用に各一時貯留・収納繰出部５３ｄ，５３ｅにそれぞれ分配されるのである。
【００６１】
このようにして、順次、収納繰出部３８ａに収納されている紙幣が、一時貯留部３３ｂ，３３ｃ，５１ｄ，５１ｅに送り込まれ、そのうちのいずれか一つが満杯となると、制御部は、一旦、収納繰出部３８ａからの紙幣の繰り出しを停止し、一時貯留部３３ｂ，３３ｃについてはシャッタ３６，３６を開作動させ、それ自身またはそれに載置された紙幣をシャッタ３６，３６に近接させて閉状態で待機している収納繰出部３８ｂ，３８ｃのフラッパ４６，４６に紙幣を受け渡し、フラッパ４６，４６をその上に載置された紙幣がシャッタ３６，３６に干渉しない位置まで下降させて、シャッタ３６，３６を閉作動させ一時貯留部３３ｂ，３３ｃを空にする。一方、一時貯留部５１ｄ，５１ｅについては、エレベータ５８をすでに収納している紙幣がフラッパ５６，５６に干渉しない位置まで上昇させた状態とし、この状態でプッシャ５７で押し込むことによりフラッパ５６，５６を開作動させつつ紙幣をエレベータ５８上に受け渡し、その後、エレベータ５８を紙幣がフラッパ５６，５６に干渉しない位置まで下降させ、プッシャ５７を上昇させることにより、フラッパ５６，５６を閉作動させる。なお、以上の動作を一時貯留部３３ｂ，３３ｃ，５１ｄ，５１ｅのうち満杯になった一つについてのみ行うようにしてもよいが、収納繰出部３８ａからの繰り出し中断の回数を減らすために、上記のように満杯になっていないものも含めてすべてについて行うようにする。
【００６２】
そして、一時貯留部３３ｂ，３３ｃのシャッタ３６，３６の閉作動および一時貯留部５１ｄ，５１ｅのフラッパ５６，５６の閉作動が完了すると、制御部は、再び収納繰出部３８ａの収納空間４９から紙幣繰出部３９により紙幣を繰り出させ、紙幣の分配補充を再開する。
【００６３】
以上を繰り返して、収納繰出部３８ａの収納空間４９からすべての紙幣が一旦繰り出され、リジェクト収納部４４および一時貯留・収納繰出部４０ａ〜４０ｃ，５３ｄ，５３ｅの一時貯留部３３ａ〜３３ｃ，５１ｄ，５１ｅのいずれかに送り出されると、制御部は、補充処理が完了した旨を識別部２９の識別結果とともに図示せぬ上位機に表示させる。この上位機の表示からオペレータが補充完了確認操作を上位機または操作部１４に入力すると、制御部は、後述の「収納処理」を行うことになる。
【００６４】
「外部充填分配補充処理」
なお、上記は、「入金処理」を経て収納繰出部３８ａに収納された紙幣を分配補充する「内部充填分配補充処理」を例にとり説明したが、機体１０外において補充紙幣を収納繰出部３８ａに充填しこれを機体１０に装填して同様の分配補充処理を行う「外部充填分配補充処理」の場合は、基本的には上記した「内部充填分配補充処理」と同様の図７に太線で示す外部充填分配補充処理ルートで処理を行うことになるが、収納繰出部３８ａから送り出される紙幣には、偽券が含まれる可能性もあるので、判別部４３あるいは識別部２９で判別不能（重送、斜行等）とされた紙幣は、すべて紙幣出金口２０に送り出すことになる。
【００６５】
そして、収納繰出部３８ａの収納空間４９からすべての紙幣が一旦繰り出され、紙幣出金口２０および一時貯留部３３ａ〜３３ｃ，５１ｄ，５１ｅのいずれかに送り出されると、制御部は、閉状態にあった紙幣出金口２０のシャッタ２２を開作動させるとともに、補充処理が完了した旨を識別部２９の識別結果とともに図示せぬ上位機に表示させる。この上位機の表示からオペレータが補充完了確認操作を上位機または操作部１４に入力すると、制御部は、後述の「収納処理」を行うことになる。
【００６６】
「収納処理」
一時貯留・収納繰出部４０ａ〜４０ｃ，５３ｄ，５３ｅにおいて、一時貯留部３３ａ〜３３ｃ，５１ｄ，５１ｅに一時貯留させた紙幣等を収納繰出部３８ａ〜３８ｃ，５２ｄ，５２ｅの収納空間４９，６１に収納させる。
【００６７】
すなわち、上記した「入金処理」で入金確定操作が入力された場合、または、「入金口分配補充処理」、「内部充填分配補充処理」および「外部充填分配補充処理」で補充完了確認操作が入力された場合、制御部は、一時貯留部３３ａ〜３３ｃ，５１ｄ，５１ｅの紙幣を収納繰出部３８ａ〜３８ｃ，５２ｄ，５２ｅに、図８に太線で示す収納処理ルートのように、一時貯留部３３ａ〜３３ｃのそれぞれのシャッタ３６，３６を開作動させ、シャッタ３６，３６にそれ自身またはそれに載置されている紙幣の上部を近接させて待機している収納繰出部３８ａ〜３８ｃの閉状態のフラッパ４６，４６に紙幣を受け渡す。続いて、制御部は、フラッパ４６，４６をその上に載置された紙幣がシャッタ３６，３６に干渉しない位置まで下降させて、シャッタ３６，３６を閉作動させる。さらに、フラッパ４６，４６を既に収納空間４９に収納されている紙幣量に干渉しない範囲で下げて開作動させ、フラッパ４６，４６からすでに収納空間４９に収納されている紙幣の上に紙幣を受け渡す。その後、フラッパ４６，４６を上部待機位置まで上昇させて、閉作動させる。
【００６８】
また、制御部は、これと同時に、収納繰出部５２ｄ，５２ｅのそれぞれについて、既に収納空間６１に収納されている紙幣量に応じた高さまでエレベータ５８を上昇させた後、一時貯留部５１ｄ，５１ｅのそれぞれのプッシャ５７を下降させ、フラッパ５６，５６上の紙幣を下方に押圧しフラッパ５６，５６を開作動させながら、紙幣を収納空間６１に既に収納されているエレベータ５８上の紙幣の上に受け渡す。その後、エレベータ５８を最下位置まで下げる。
【００６９】
「整理計数処理」
複数金種混在した紙幣から指定した金種を計数しつつ分離する場合等の処理で、オペレータにより紙幣が紙幣入金口２１にセットされ操作部１４に「整理計数処理」の実行入力がなされると、図示せぬ制御部は、紙幣入金口２１により、紙幣を一枚ずつ分離して繰り出させることになり、繰り出された紙幣を、搬送路２８および紙幣取入部３２の所定部分で構成される図９に太線で示す整理計数処理ルートで搬送させ、その途中の識別部２９の識別結果に基づいて振り分ける。
【００７０】
すなわち、識別不能（偽、重送、斜行等）とされた紙幣と、真かつ汚損と識別された紙幣と、真かつ正で指定されていない金種の紙幣と、真かつ正で指定された金種であって一時貯留部３３ａ〜３３ｃの対応するものに貯留しきれない分の紙幣とが紙幣出金口２０に送り出され、真かつ正の紙幣のうち、指定された金種のものが、適宜表裏反転部３０を通過することで表裏が取り揃えられた後、金種別に、一時貯留部３３ａ〜３３ｃの対応するものに、それぞれの紙幣取入部３２から送り込まれる。このとき、一時貯留部３３ａ〜３３ｃは、それぞれ、シャッタ３６，３６が閉状態とされており、紙幣取入部３２から送り込まれた紙幣をシャッタ３６，３６の上側の貯留空間３７に一時貯留させる。
【００７１】
具体的には、例えば、千券、二千券および五千券を整理計数する場合には、真かつ正と識別された紙幣のうち、指定されていない万券は、紙幣出金口２０に送り出され、二千券は一時貯留・収納繰出部４０ａの一時貯留部３３ａに貯留され、千券は一時貯留・収納繰出部４０ｂの一時貯留部３３ｂに貯留され、五千券は一時貯留・収納繰出部４０ｃの一時貯留部３３ｃに一時貯留される。
【００７２】
そして、紙幣入金口２１からすべての紙幣が一旦繰り出され、紙幣出金口２０および一時貯留部３３ａ〜３３ｃのいずれかに送り込まれると、制御部は、閉状態にあった紙幣出金口２０のシャッタ２２を開作動させるとともに、整理計数処理が完了した旨を識別部２９の識別結果とともに図示せぬ上位機に表示させる。この表示からオペレータが整理計数完了確認操作を上位機または操作部１４に入力すると、制御部は、後述の「返却処理」を行うことになる。
【００７３】
「返却処理」
上記入金処理の結果の上位機の表示に基づいてオペレータが入金キャンセル操作を上位機または操作部１４に入力した場合、および、上記「整理計数処理」が完了した旨の上位機の表示からオペレータが整理計数完了確認操作を上位機または操作部１４に入力した場合、制御部は、中層ユニット２５の機体１０からの引き出しを可能とする。これにより、オペレータは、図１０に示すよう中層ユニット２５を引き出して一時貯留部３３ａ〜３３ｃから紙幣を取り出すことになる。
【００７４】
「精査処理」
（１）一時貯留・収納繰出部４０ｂの収納繰出部３８ｂの精査処理
収納繰出部３８ｂにおける収納空間４９の紙幣枚数、具体的には収納空間４９の万券の枚数を確定する精査処理を行う場合は、オペレータにより上位機または操作部１４に収納繰出部３８ｂを精査処理する際の入力がなされると、一時貯留部３３ｂおよび収納繰出部３８ｂのフラッパ４６，４６より上側が空の状態で、制御部は、収納繰出部３８ｂのフラッパ４６，４６よりも下側の収納空間４９に収納させていた紙幣を紙幣繰出部３９によって最下のものから一枚ずつ分離して繰り出させ、搬送路４２，２８の所定部分で構成される図１１に太線で示す第１精査処理ルートに沿って搬送させ、その途中の判別部４３および識別部２９の識別結果に基づいて振り分けおよび計数を行う。
【００７５】
すなわち、判別部４３で重送または斜行と判定された搬送異常紙幣はリジェクト収納部４４に送り込まれ、判別部４３で正常と判別された紙幣は、識別部２９で万が一の異金種混入に備えて金種が識別され、必要により表裏反転部３０で表裏が取り揃えられて、識別部２９で精査対象金種と判定された正常紙幣は、一時貯留・収納繰出部４０ｂの一時貯留部３３ｂに送り込まれ、識別部２９で精査対象金種以外と判定された異金種紙幣は、一時貯留・収納繰出部４０ａの一時貯留部３３ａに送り込まれる。
【００７６】
このようにして、順次、収納繰出部３８ｂに収納されている紙幣が、識別部２９で識別計数され、一時貯留部３３ｂに送り込まれ、一時貯留部３３ｂが満杯となると、制御部は、一旦、収納繰出部３８ｂの収納空間４９からの紙幣の繰り出しを停止し、一時貯留部３３ｂのシャッタ３６，３６を開作動させ、シャッタ３６，３６にそれ自身またはそれに載置された紙幣の上部を近接させていた閉状態のフラッパ４６，４６に紙幣を受け渡し、フラッパ４６，４６をその上に載置された紙幣がシャッタ３６，３６に干渉しない位置まで下降させて、シャッタ３６，３６を閉作動させて一時貯留部３３ｂを空にする。ただし、この時点では、収納繰出部３８ｂの収納空間４９に収納されている紙幣とは分離しておく必要があるため、フラッパ４６，４６上の紙幣を下方の収納空間４９に落とし込むことはない。
【００７７】
そして、一時貯留部３３ｂのフラッパ４６，４６へ紙幣を受け渡しシャッタ３６，３６の閉作動が完了すると、制御部は、再び収納繰出部３８ｂの収納空間４９から紙幣繰出部３９により紙幣を繰り出させ、上記と同様にして、判別部４３による判別、識別部２９による識別計数を行う。
【００７８】
以上を繰り返して、収納繰出部３８ｂの収納空間４９のすべての収納紙幣が繰り出され、リジェクト収納部４４、一時貯留・収納繰出部４０ｂのフラッパ４６，４６より上側および一時貯留部３３ａのいずれかに送り込まれて、収納繰出部３８ｂの収納空間４９が空になると、制御部は、一時貯留部３３ａ，３３ｂのシャッタ３６，３６を開作動させ、紙幣をフラッパ４６，４６上に受け渡し、続いて、フラッパ４６，４６をその上に載置された紙幣がシャッタ３６，３６に干渉しない位置まで下降させて、シャッタ３６，３６を閉作動させる。さらに、一時貯留・収納繰出部４０ｂについては、フラッパ４６，４６を最下位置まで下降させて開作動させて、空の状態の収納空間４９に紙幣を受け渡し、その後、フラッパ４６，４６をシャッタ３６，３６に近接する上部待機位置まで上昇させて、閉作動させる。一時貯留・収納繰出部４０ａについては、フラッパ４６，４６を既に収納空間４９に収納されている紙幣量に応じた高さまで下げて開作動させて、フラッパ４６，４６からすでに収納空間４９に収納されている紙幣の上に紙幣を受け渡し、その後、フラッパ４６，４６をシャッタ３６，３６に近接する上部待機位置まで上昇させて、閉作動させる。
【００７９】
このようにすることで、一時貯留・収納繰出部４０ｂの収納繰出部３８ｂの収納空間４９の紙幣は、すべて精査対象金種の正常紙幣となりその枚数が確定できる。
【００８０】
以上により、一時貯留・収納繰出部４０ｂは、精査処理時にその収納繰出部３８ｂの収納空間４９から一旦すべての紙幣を繰り出してこの収納空間４９を空にする際に、繰り出し紙幣のうち正常紙幣を、当該一時貯留・収納繰出部４０ｂ自身の一時貯留部３３ｂに送り込む還流精査型一時貯留・収納繰出部となっている。そして、このような還流精査型一時貯留・収納繰出部である一時貯留・収納繰出部４０ｂは、その収納空間４９から一旦すべての紙幣を繰り出す際に当該一時貯留・収納繰出部４０ｂ自身の一時貯留部３３ｂに送り込んだ紙幣を、収納空間４９から一旦すべての紙幣を繰り出した後に、当該収納空間４９に収納することになる。
【００８１】
（２）一時貯留・収納繰出部４０ｃの収納繰出部３８ｃの精査処理
収納繰出部３８ｃにおける収納空間４９の紙幣枚数、具体的には収納空間４９の千券の枚数を確定する精査処理を行う場合は、上記収納繰出部３８ｂの精査処理に対し、一時貯留部３３ｂおよび収納繰出部３８ｂを一時貯留部３３ｃおよび収納繰出部３８ｃに置き換えたものとなる。すなわち、収納繰出部３８ｃの収納空間４９の紙幣を搬送路４２，２８の所定部分で構成される図１２に太線で示す第２精査処理ルートに沿って搬送させ、収納繰出部３８ｃの収納空間４９を一旦空にした後、枚数の確定した紙幣を収納繰出部３８ｃの収納空間４９に収納させるのである。
【００８２】
この、一時貯留・収納繰出部４０ｃも、一時貯留・収納繰出部４０ｂと同様に、還流精査型一時貯留・収納繰出部となっている。
【００８３】
（３）収納繰出部５２ｄの精査処理
収納繰出部５２ｄにおける収納空間６１の紙幣枚数、具体的には収納空間６１の二千券の枚数を確定する精査処理を行う場合は、オペレータにより上位機または操作部１４に収納繰出部５２ｄを精査処理する際の入力がなされると、制御部は、一時貯留部５１ｄが空の状態で、収納繰出部５２ｄのフラッパ５６，５６よりも下側の収納空間６１に収納させていた紙幣を紙幣繰出部５４によって最下のものから一枚ずつ分離して繰り出させ、搬送路４２，２８の所定部分で構成される図１３に太線で示す第３精査処理ルートに沿って搬送させ、その途中の判別部４３の判別結果に基づいて振り分けを行う。
【００８４】
すなわち、判別部４３で重送または斜行と判定された搬送異常紙幣はリジェクト収納部４４に送り込まれ、判別部４３で正常と判別された正常紙幣は、必要により表裏反転部３０で表裏が取り揃えられて、一時貯留・収納繰出部４０ａの一時貯留部３３ａに送り込まれる。
【００８５】
このようにして、順次、収納繰出部５２ｄに収納されている紙幣が、一時貯留部３３ａに送り込まれ、一時貯留部３３ａが満杯となると、制御部は、一旦、収納繰出部５２ｄからの紙幣の繰り出しを停止し、一時貯留部３３ａのシャッタ３６，３６を開作動させ、シャッタ３６，３６にそれ自身またはそれに載置された紙幣の最上部を近接させた閉状態のフラッパ４６，４６に紙幣を受け渡し、フラッパ４６，４６をその上に載置された紙幣がシャッタ３６，３６に干渉しない位置まで下降させて、シャッタ３６，３６を閉作動させて、一時貯留部３３ａを空にする。
【００８６】
そして、一時貯留部３３ａのフラッパ４６，４６へ紙幣を受け渡しシャッタ３６，３６の閉作動が完了すると、制御部は、再び収納繰出部５２ｄの収納空間６１から紙幣繰出部５４により紙幣を繰り出させ、上記と同様にして、判別部４３による判別を行いつつ、一時貯留部３３ａに送り込む。
【００８７】
以上を繰り返して、収納繰出部５２ｄの収納空間６１のすべての収納紙幣が繰り出されて、リジェクト収納部４４、一時貯留・収納繰出部４０ａの一時貯留部３３ａのいずれかに送り込まれ、収納繰出部５２ｄの収納空間６１が空になると、制御部は、一時貯留部３３ａのシャッタ３６，３６を開作動させ、収納繰出部３８ａのフラッパ４６，４６上に紙幣を受け渡し、フラッパ４６，４６をその上に載置された紙幣がシャッタ３６，３６に干渉しない位置まで下降させて、シャッタ３６，３６を閉作動させて一時貯留部３３ａを空にし、さらに、フラッパ４６，４６を収納繰出部３８ａの収納空間４９にすでに収納されている紙幣に干渉しない範囲で下降させて、開作動させて、フラッパ４６，４６上の紙幣を収納空間４９に収納させた後、フラッパ４６，４６を上部待機位置まで移動させ閉作動させる。
【００８８】
その後、上記した「内部充填分配補充処理」および「収納処理」を実行することで、一時貯留・収納繰出部４０ａの収納繰出部３８ａに収納された紙幣を繰り出し、識別部２９で識別計数しつつ、その中から一時貯留・収納繰出部５３ｄの収納繰出部５２ｄに収納させる紙幣すなわち二千券のみを、一時貯留・収納繰出部５３ｄの収納繰出部５２ｄに、一時貯留部５１ｄを介して送り込むことで、精査対象金種の紙幣が確定した枚数で収納繰出部５２ｄの収納空間６１に収納されることになる。
【００８９】
以上により、一時貯留・収納繰出部５３ｄは、精査処理時において、その収納繰出部５２ｄの収納空間６１から一旦すべての紙幣を繰り出して当該収納空間６１を空にする際に、繰り出した紙幣のうち、主たる紙幣である正常紙幣を、当該一時貯留・収納繰出部５３ｄ以外の被使用一時貯留・収納繰出部４０ａの一時貯留部３３ａに送り込む他使用精査型一時貯留・収納繰出部となっている。そして、このような他使用精査型一時貯留・収納繰出部である一時貯留・収納繰出部５３ｄは、その収納空間６１から一旦すべての紙幣を繰り出した後、当該収納空間６１に被使用一時貯留・収納繰出部である一時貯留・収納繰出部４０ａから送り込まれた紙幣を収納するようになっている。
【００９０】
（４）収納繰出部５２ｅの精査処理
収納繰出部５２ｅにおける収納空間６１の紙幣枚数、具体的には収納空間６１の五千券の枚数を確定する精査処理を行う場合は、上記収納繰出部５３ｄの精査処理に対し、一時貯留部５１ｄおよび収納繰出部５２ｄを一時貯留部５１ｅおよび収納繰出部５２ｅに置き換えたものとなる。すなわち、紙幣を搬送路４２，２８の所定部分で構成される図１４に太線で示す第４精査処理ルートに沿って搬送させ、収納繰出部５２ｅの収納空間６１を一旦空にした後、「内部充填分配補充処理」および「収納処理」によって枚数の確定した紙幣を収納繰出部５２ｅの収納空間６１に収納させるのである。
【００９１】
（５）一時貯留・収納繰出部４０ａの収納繰出部３８ａの精査処理
収納繰出部３８ａの収納空間４９の精査処理は、「入金処理」を経て収納した紙幣についての上記した「内部充填分配補充処理」と同じであり（図６参照）、一旦、収納繰出部３８ａの収納空間４９を空にするとともに、一時貯留・収納繰出部４０ａ〜４０ｃ，５３ｄ，５３ｅのフラッパ４６，５６より上側に金種および枚数の確定した紙幣を集積させ、その後、上記した「収納処理」を行うことで、金種および枚数の確定した紙幣を収納繰出部３８ａ〜３８ｃ，５２ｄ，５２ｅの収納空間４９，６１に収納する。
【００９２】
「回収処理」
一時貯留・収納繰出部４０ａ〜４０ｃ，５３ｄ，５３ｅに収納されている紙幣を回収する場合、オペレータにより上位機または操作部１４に回収処理を行う際の入力がなされると、制御部は、一時貯留部３３ｂ，３３ｃおよび収納繰出部３８ｂ，３８ｃのフラッパ４６，４６より上側が空の状態で、収納繰出部３８ｂ，３８ｃの収納空間４９に収納させていた紙幣を紙幣繰出部３９によって最下のものから一枚ずつ分離して繰り出させるとともに、一時貯留部５１ｄ，５１ｅが空の状態で、収納繰出部５２ｄ，５２ｅの収納空間６１に収納させていた紙幣を紙幣繰出部５４によって最下のものから一枚ずつ分離して繰り出させる。そして、これらの紙幣を、搬送路４２，２８の所定部分で構成される図１５に太線で示す回収処理ルートに沿って搬送させ、その途中の判別部４３の判別結果に基づいて振り分けを行う。
【００９３】
すなわち、判別部４３で重送または斜行と判定された搬送異常紙幣はリジェクト収納部４４に送り込まれ、判別部４３で正常と判別された紙幣は、表裏が取り揃えられることなく、一時貯留・収納繰出部４０ａの一時貯留部３３ａにすべて送り込まれる。
【００９４】
このようにして、紙幣が、一時貯留部３３ａに送り込まれ、一時貯留部３３ａが満杯となると、制御部は、一旦、収納繰出部３８ｂ，３８ｃ，５２ｄ，５２ｅからの紙幣の繰り出しを停止し、一時貯留部３３ａのシャッタ３６，３６を開作動させ、それ自身またはそれに載置された紙幣をシャッタ３６，３６に近接させて閉状態で待機している収納繰出部３８ａのフラッパ４６，４６に紙幣を受け渡し、フラッパ４６，４６をその上に載置された紙幣がシャッタ３６，３６に干渉しない位置まで下降させて、シャッタ３６，３６を閉作動させて一時貯留部３３ａを空にする。
【００９５】
そして、一時貯留部３３ａのフラッパ４６，４６へ紙幣を受け渡しシャッタ３６，３６の閉作動が完了すると、制御部は、再び収納繰出部３８ｂ，３８ｃ，５２ｄ，５２ｅの収納空間４９，６１から紙幣繰出部３９，５４により紙幣を繰り出させ、上記と同様にして、一時貯留部３３ａに送り込む。
【００９６】
以上を繰り返して、収納繰出部３８ｂ，３８ｃ，５２ｄ，５２ｅの収納空間４９，６１からすべての収納紙幣が繰り出されて、リジェクト収納部４４および一時貯留部３３ａのいずれかに送り込まれ、収納繰出部３８ｂ，３８ｃ，５２ｄ，５２ｅの収納空間４９，６１が空になると、制御部は、一時貯留部３３ａのシャッタ３６，３６を開作動させ、収納繰出部３８ａのフラッパ４６，４６上に紙幣を受け渡し、フラッパ４６，４６をその上に載置された紙幣がシャッタ３６，３６に干渉しない位置まで下降させて、シャッタ３６，３６を閉作動させて、一時貯留部３３ａを空にし、さらに、フラッパ４６，４６を収納繰出部３８ａの収納空間４９にすでに収納されている紙幣に干渉しない範囲で下降させて、開作動させて、フラッパ４６，４６上の紙幣を収納空間４９に収納させた後、フラッパ４６，４６を上部待機位置まで移動させ閉作動させる。
【００９７】
以上のようにして、収納繰出部３８ｂ，３８ｃ，５２ｄ，５２ｅの収納空間４９，６１の紙幣をすべて収納繰出部３８ａに収納し、下層ユニット２６を機体１０から引き出して、収納繰出部３８ａを機体１０から取り出して紙幣を回収する。
【００９８】
なお、収納繰出部３８ｂ，３８ｃ，５２ｄ，５２ｅの収納空間４９，６１の紙幣をすべて収納繰出部３８ａに収納する前に収納繰出部３８ａが満杯になることもあるため、そのときは、満杯になった時点で処理を中断し、紙幣が取り出されて空となった収納繰出部３８ａが再装填されると、処理を再開する。なお、収納繰出部３８ｂ，３８ｃの少なくとも一方をも下層ユニット２６に対し着脱可能とすることで、収納繰出部３８ａで収納しきれない場合に、着脱可能な収納繰出部３８ｂ，３８ｃに収納して回収するようにしてもよい。
【００９９】
以上に述べたように、本実施形態の貨幣入出金機によれば、その紙幣入出金部１１において、複数の一時貯留・収納繰出部５３ｄ，５３ｅを上下に重ねて配置しているため、新金種等の取り扱い金種増に対応する場合においても、機体１０の前後方向の長さを長くすることがなく、また、同じ数の金種を取り扱う場合でも、機体１０の前後方向の長さを短くすることができる。したがって、機体１０の前後方向の長さを短くすることができ、設置のためのスペース効率を向上させることができる。
【０１００】
また、上下に重ねて配置された複数の一時貯留・収納繰出部５３ｄ，５３ｅのそれぞれの上下方向長さは、これら一時貯留・収納繰出部５３ｄ，５３ｅ以外の一時貯留・収納繰出部４０ａ〜４０ｃのそれぞれの上下方向長さよりも小さく設定されているため、上下に重ねて配置された複数の一時貯留・収納繰出部５３ｄ，５３ｅの全体の上下方向長さを短く抑えることができる。したがって、機体１０の高さの増大をも抑えることができる。
【０１０１】
さらに、上下に重ねて配置された複数の一時貯留・収納繰出部５３ｄ，５３ｅの最上部の高さ位置は、これら一時貯留・収納繰出部５３ｄ，５３ｅ以外の一時貯留・収納繰出部４０ａ〜４０ｃの最上部の高さ位置に対し同等以下に設定されているため、上下に重ねて配置された複数の一時貯留・収納繰出部５３ｄ，５３ｅによって機体１０の全体の高さが高くなってしまうことがなくなる。したがって、機体１０の高さの増大をも確実に抑えることができる。
【０１０２】
加えて、上下に重ねて配置された複数の一時貯留・収納繰出部５３ｄ，５３ｅは、これら一時貯留・収納繰出部５３ｄ，５３ｅ以外のすべての一時貯留・収納繰出部４０ａ〜４０ｃとともに機体１０の前後方向に配列されているため、機体１０が横方向に広がってしまうこともない。したがって、機体１０の左右方向の長さが増大することがなく、設置のためのスペース効率をさらに向上させることができる。
【０１０３】
さらに、上下に重ねて配置された複数の一時貯留・収納繰出部５３ｄ，５３ｅは、これら一時貯留・収納繰出部５３ｄ，５３ｅ以外のすべての一時貯留・収納繰出部４０ａ〜４０ｃよりも機体１０の後部側に配置されているため、紙幣を搬送する搬送経路等が煩雑になるのを防止することができる。
【０１０４】
加えて、このように、上下に重ねて配置されることにより収納量が他に比して少なくなる複数の一時貯留・収納繰出部５３ｄ，５３ｅに関し、そのうちの一つは流通量の少ない二千券用とし、他の一つも流通量の少ない五千券用とすることで、流通量の多い千券用の一時貯留・収納繰出部４０ｃおよび万券用の一時貯留・収納繰出部４０ｂとの収納量のバランスをとることができる。したがって、一時貯留・収納繰出部４０ｂ，４０ｃ，５３ｄ，５３ｅに偏って満杯状態を生じることを防止し、効率よく運用することができる。
【０１０５】
なお、一時貯留・収納繰出部４０ｂ，４０ｃ，５３ｄ，５３ｅへの各収納金種を上記に対し変更することも可能である。
【０１０６】
【発明の効果】
以上詳述したように、本発明の請求項１記載の紙幣入出金機によれば、複数の一時貯留・収納繰出部を上下に重ねて配置しているため、新金種等の取り扱い金種増に対応する場合においても、機体の前後方向の長さを長くすることがなく、また、同じ数の金種を取り扱う場合でも、機体の前後方向の長さを短くすることができる。したがって、機体の前後方向の長さを短くすることができ、設置のためのスペース効率を向上させることができる。
【０１０７】
本発明の請求項２記載の紙幣入出金機によれば、上下に重ねて配置された複数の一時貯留・収納繰出部のそれぞれの上下方向長さは、これら一時貯留・収納繰出部以外の一時貯留・収納繰出部の上下方向長さよりも小さく設定されているため、上下に重ねて配置された複数の一時貯留・収納繰出部の全体の上下方向長さを短く抑えることができる。したがって、機体の高さの増大をも抑えることができる。
【０１０８】
本発明の請求項３記載の紙幣入出金機によれば、上下に重ねて配置された複数の一時貯留・収納繰出部の最上部の高さ位置は、これら一時貯留・収納繰出部以外の一時貯留・収納繰出部の最上部の高さ位置に対し同等以下に設定されているため、上下に重ねて配置された複数の一時貯留・収納繰出部によって機体全体の高さが高くなってしまうことがなくなる。したがって、機体の高さの増大をも確実に抑えることができる。
【０１０９】
本発明の請求項４記載の紙幣入出金機によれば、上下に重ねて配置された複数の一時貯留・収納繰出部は、これら一時貯留・収納繰出部以外のすべての一時貯留・収納繰出部とともに機体の前後方向に配列されているため、機体が横方向に広がってしまうこともない。したがって、機体の左右方向の長さが増大することがなく、設置のためのスペース効率をさらに向上させることができる。
【０１１０】
本発明の請求項５記載の紙幣入出金機によれば、上下に重ねて配置された複数の一時貯留・収納繰出部は、これら一時貯留・収納繰出部以外のすべての一時貯留・収納繰出部よりも機体の後部側に配置されているため、紙幣を搬送する搬送経路等が煩雑になるのを防止することができる。
【０１１１】
本発明の請求項６記載の紙幣入出金機によれば、上下に重ねて配置されることにより収納量が他に比して少なくなる複数の一時貯留・収納繰出部に関し、そのうちの一つは流通量の少ない二千券用とし、他の一つも流通量の少ない五千券用とすることで、流通量の多い千券用の一時貯留・収納繰出部および万券用の一時貯留・収納繰出部との収納量のバランスをとることができる。したがって、一時貯留・収納繰出部に偏って満杯状態を生じることを防止し、効率よく運用することができる。
【図面の簡単な説明】
【図１】  本発明の紙幣入出金機の一実施形態としての貨幣入出金機を示す斜視図である。
【図２】  同貨幣入出金機の紙幣入出金部の概略構成を示す側断面図である。
【図３】  同貨幣入出金機の紙幣入出金部の入金処理ルートを示す側断面図である。
【図４】  同貨幣入出金機の紙幣入出金部の出金処理ルートを示す側断面図である。
【図５】  同貨幣入出金機の紙幣入出金部の入金口分配補充処理ルートを示す側断面図である。
【図６】  同貨幣入出金機の紙幣入出金部の内部充填分配補充処理ルートを示す側断面図である。
【図７】  同貨幣入出金機の紙幣入出金部の外部充填分配補充処理ルートを示す側断面図である。
【図８】  同貨幣入出金機の紙幣入出金部の収納処理ルートを示す側断面図である。
【図９】  同貨幣入出金機の紙幣入出金部の整理計数処理ルートを示す側断面図である。
【図１０】  同貨幣入出金機の紙幣入出金部の返却処理時における中層ユニットを引き出した状態を示す側断面図である。
【図１１】  同貨幣入出金機の紙幣入出金部の第１精査処理ルートを示す側断面図である。
【図１２】  同貨幣入出金機の紙幣入出金部の第２精査処理ルートを示す側断面図である。
【図１３】  同貨幣入出金機の紙幣入出金部の第３精査処理ルートを示す側断面図である。
【図１４】  同貨幣入出金機の紙幣入出金部の第４精査処理ルートを示す側断面図である。
【図１５】  同貨幣入出金機の紙幣入出金部の回収処理ルートを示す側断面図である。
【符号の説明】
３３ａ〜３３ｃ，５１ｄ，５１ｅ  一時貯留部
３８ａ〜３８ｃ，５２ｄ，５２ｅ  収納繰出部
４０ａ〜４０ｃ，５３ｄ，５３ｅ  一時貯留・収納繰出部
【図１】
0003889248.tif 000002
【図２】
0003889248.tif 000003
【図３】
0003889248.tif 000004
【図４】
0003889248.tif 000005
【図５】
0003889248.tif 000006
【図６】
0003889248.tif 000007
【図７】
0003889248.tif 000008
【図８】
0003889248.tif 000009
【図９】
0003889248.tif 000010
【図１０】
0003889248.tif 000011
【図１１】
0003889248.tif 000012
【図１２】
0003889248.tif 000013
【図１３】
0003889248.tif 000014
【図１４】
0003889248.tif 000015
【図１５】
0003889248.tif 000016